(57)【特許請求の範囲】
【請求項１】
ヘッドパイプと一体の軸受け部に回転自在に軸受けされるフォークステムに固着された一定トルク回転支持部材のロックギヤと、ヘッドパイプと一体の伝動ロック機構ハウジングに配備され、後車輪錠の操作部に関連して往復動するロック杆とが係合してフォークステムの回転をロックする自転車用ヘッドロック装置において、前記伝動ロック機構ハウジングの凹陥収容部の内底面には、前記ロック杆と連係する出力クランクピンを一端に具える回転連係体の他端に形成された連係レバーの先端部と対応する取付ネジ孔が開口され、該取付ネジ孔より前記後車輪錠の操作部に関連して往復動する伝動索のインナーワイヤーが内方へ挿通可能に構成されると共に、該インナーワイヤーの先端が前記連係レバーの先端に関連され、かつ、前記取付ネジ孔と適宜間隔を存して横に操作棒用孔が開口され、該操作棒用孔に操作棒が外方から差し入れられて前記連係レバーが操作されて、装置を分解することなく、ロック杆の強制移動によるフォークステムのロック解除と連係レバーの先端とインナーワイヤーの先端との関連が外れ、インナーワイヤーが交換自在である自転車用ヘッドロック装置。
【請求項２】
前記凹陥受座の先端側上面には、基端側に傾斜する内側起立誘導面部と、先端側に傾斜する外側起立誘導面部とが形成されて備えてなる請求項１の自転車用ヘッドロック装置。
【請求項３】
前記連係レバーの先端と基端との中間部には、操作棒の先端掛合部と掛合する掛合部が形成されてなる請求項１の自転車用ヘッドロック装置。
【発明の詳細な説明】
【技術分野】
【０００１】
この発明は、ヘッドロックの強制解錠と操作インナーワイヤーの取換えが容易に行える自転車用ヘッドロック装置に関するものである。
【背景技術】
【０００２】
従来、本出願人は、特許文献１に示すように、ヘッドパイプの上端に固着される上ワンと一体に形成される底板と、該底板に固着されるケーシング本体とにより収容部を設け、該収容部にハンドルを固定するロックギヤと該ロックギヤと係合する錠手段とを収容配備してなる自転車用ヘッドロック装置を提案している。
【０００３】
【特許文献１】特開平１１−５５７８号公報
【発明の開示】
【発明が解決しようとする課題】
【０００４】
前記特許文献１に開示される自転車用ヘッドロック装置では、例えば、走行中に転倒し、又は駐輪時に人為的な破壊力を受けてケーシング本体が破壊され、若しくは故障してロック杆の作動が不能となることがある。
また、自転車用ヘッドロック装置と後輪錠と中継して解錠・鎖錠を作動させる伝動索のインナーワイヤーが破損することがある。
【０００５】
本発明は、かかる転倒又は人為的な破壊力を受け若しくは故障してヘッドロック装置がロック状態になった場合にこれを強制的に解錠する強制解錠と、前記インナーワイヤーの取換えが容易に行えることを目的に案出されたものである。
【課題を解決するための手段】
【０００６】
ヘッドパイプと一体の軸受け部に回転自在に軸受けされるフォークステムに固着された一定トルク回転支持部材のロックギヤと、ヘッドパイプと一体の伝動ロック機構ハウジングに配備され、後車輪錠の操作部に関連して往復動するロック杆とが係合してフォークステムの回転をロックする自転車用ヘッドロック装置において、前記伝動ロック機構ハウジングの凹陥収容部の内底面には、前記ロック杆と連係する出力クランクピンを一端に具える回転連係体の他端に形成された連係レバーの先端部と対応する取付ネジ孔が開口され、該取付ネジ孔より前記後車輪錠の操作部に関連して往復動する伝動索のインナーワイヤーが内方へ挿通可能に構成されると共に、該インナーワイヤーの先端が前記連係レバーの先端に関連され、かつ、前記取付ネジ孔と適宜間隔を存して横に操作棒用孔が開口され、該操作棒用孔に操作棒が外方から差し入れられて前記連係レバーが操作されて、装置を分解することなく、ロック杆の強制移動によるフォークステムのロック解除と連係レバーの先端とインナーワイヤーの先端との関連が外れ、インナーワイヤーが交換自在である自転車用ヘッドロック装置にある。
【０００７】
前記凹陥受座の先端側上面には、基端側に傾斜する内側起立誘導面部と、先端側に傾斜する外側起立誘導面部とが形成されて備えてなる自転車用ヘッドロック装置としてもよいものである。
【０００８】
前記連係レバーの先端と基端との中間部には、操作棒の先端掛合部と掛合する掛合部が形成されてなる自転車用ヘッドロック装置としてもよいものである。
【発明の効果】
【０００９】
本発明の自転車用ヘッドロック装置は、前述のようになるから、装置を分解することなく、自転車に装備した状態で伝動索取付具を伝動ロック機構ハウジングの部分から外すだけでインナーワイヤーの取換えが容易に行えるものである。また、故障してロック状態になった場合には、操作棒により容易に強制的に解錠することができ、付属品のメンテナンスの向上に貢献するものである。
【発明を実施するための最良の形態】
【００１０】
ヘッドパイプと一体の軸受け部に回転自在に軸受けされるフォークステムに固着された一定トルク回転支持部材のロックギヤと、ヘッドパイプと一体の伝動ロック機構ハウジングに配備され、後車輪錠の操作部に関連して往復動するロック杆とが係合してフォークステムの回転をロックする自転車用ヘッドロック装置において、前記伝動ロック機構ハウジングの上面には、前記ロック杆と連係する出力クランクピンを一端に具える回転連係体を軸受けする軸受が形成され、該軸受を除く上面に凹陥収容部が形成され、該凹陥収容部の内底面には前記連係レバーの先端部と対応する取付ネジ孔が外底面より下方に一体に突出形成される伝動索取付部に連通して開口配備され、該取付ネジ孔と適宜間隔を存して横に操作棒用孔が開口配備され、前記連係レバーの先端の上面には、前記回転連係体の回転面を中心に両側に所要の間隔で対面する側壁面を持ち、先端縁に開口する導入溝が連通形成される凹陥受座が形成され、前記伝動ロック機構ハウジングの伝動索取付部の取付ネジ孔に前記後車輪錠の操作部に関連して往復動する伝動索のアウターワイヤーの固着接続部を一端に備えて内方に伝動索のインナーワイヤーを挿通する伝動索取付金具の他端に形成されたネジ部を外方から螺合し、インナーワイヤーを前記伝動ロック機構ハウジング内に挿通し、該インナーワイヤーの先端端止玉を連係レバーの先端上面の凹陥受座に掛合自在に構成され、前記操作棒用孔に操作棒が外方から差し入れられて前記連係レバーが操作されて、装置を分解することなく、ロック杆の強制移動によるフォークステムのロック解除と連係レバーの先端とインナーワイヤーの先端との関連が外れ、インナーワイヤーが交換自在である自転車用ヘッドロック装置。
【実施例】
【００１１】
以下、本発明を図面に示す実施例である自転車用ヘッドロック装置１により説明すると、鋼板をプレス成形した底板２に上軽合金を資材としてダイカスト成型されたケーシング本体３が係合とネジ着により結合し、前記底板２には、ヘッドチューブ４の上端に接続固定する突状筒部２ａと一定以上のトルクで回転する定トルク回転支持部材５が装備されるフォークステム６を回転自在に軸受けする上玉受軸受部２ｂが夫々形成される。
【００１２】
前記底板２は、図４に示すように、平板状部２ｃの外周縁２ｃ１の一部に係合突部２ｄが形成され、前記ケーシング本体３の外周に突出して形成される係合環部３ｄと係合するように設けられている。
【００１３】
前記底板２は、図４に仮線で示すように、前記ケーシング本体３の底面に凹陥して形成される後記の伝動ロック機構収容空洞部３ｃと対面する部分（仮線で示す外周縁部分２ｃ１１）が欠如されて収容部縁２ｅに形成される。
【００１４】
前記底板２は、三個所に底板取付孔７、７、７が設けられる。
【００１５】
前記ケーシング本体３は、主として図１、図５に示すように、内側に前記定トルク回転支持部材５が装備されるフォークステム６を貫通収容する回転収容空洞部３ａと、前記底板２を収容する下段底板嵌入凹陥座部３ｂ１と、隔壁３ｅにより回転収容空洞部３ａと区画され、前記伝動ロック機構８を装備する伝動ロック機構ハウジング９の上縁内径鍔部９ａを嵌入連接する上段内径鍔部嵌入凹陥座部３ｂ２及びそれらの内側に前記伝動ロック機構ハウジング９上の伝動ロック機構８を収容ガイドする伝動ロック機構収容空洞部３ｃが夫々底面に凹陥して形成される。
【００１６】
前記定トルク回転支持部材５は、図６に示すように、フォークステム６と一体に固着する回転支持体１０を備え、この回転支持体１０にロックギヤ１１が回転自在に装備される。このロックギヤ１１の周面は、所定ピッチで歯部１１ａが形成され、前記ケーシング本体３の伝動ロック機構収容空洞部３ｃに収容配備する伝動ロック機構８のロック杆１２と係合され、フォークステム６の回転停止のロック状態が構成される。
【００１７】
前記ロックギヤ１１の下面は、凹凸のクラッチ面１１ｂが形成され、対面する回転支持体１０の下端の鍔部１０ａの上面に形成される凹凸のクラッチ面１０ａ１と係合可能に構成される。
【００１８】
前記回転支持体１０の上端外周に形成される環状溝１０ｂにＣ押さえリング１３が嵌着されてこのＣ押さえリング１３と前記ロックギヤ１１との間にウエーブワッシャ１４が外嵌されてこのウエーブワッシャ１４の押圧力で前記ロックギヤ１１を回転支持体１０の鍔部１０ａに押圧し、対面するロックギヤ１１のクラッチ面１１ｂと回転支持体１０の鍔部１０ａのクラッチ面１０ａ１を係合し、ロックギヤ１１をロックした状態において、フォークステム６と一体のハンドル（図示しない）を一定以上の回転トルクで回転可能な抵抗を得る定トルク回転支持部材５を構成している。
【００１９】
前記ケーシング本体３の前記下段底板嵌入凹陥座部３ｂ１には、底板２の底板固着用ネジ孔１５、１５、１５の三個所が開設され、また前記ケーシング本体３の外周底面３ｆには、伝動ロック機構ハウジング９の伝動ロック機構ハウジング固着用ネジ孔１６の一個所が開設され、前記底板固着用ネジ孔１５、１５、１５に螺合する底板取付ネジ１７、１７、１７により底板２が固着され、前記伝動ロック機構ハウジング固着用ネジ孔１６に螺合する伝動ロック機構ハウジング取付ネジ１８により伝動ロック機構ハウジング９が固着される。すなわち、前記伝動ロック機構ハウジング９は、上面の内径側に形成される上縁内径鍔部９ａを上段内径鍔部嵌入凹陥座部３ｂ２に嵌合連接し、下方から前記底板２を連接被蓋した後、前記ケーシング本体３の底板固着用ネジ孔１５、１５、１５に螺合する底板取付ネジ１７、１７、１７を締付けて底板２より上段内径鍔部嵌入凹陥座部３ｂ２内に挟持し、伝動ロック機構ハウジング９の上面の上縁外径鍔部９ｂをケーシング本体３の外周底面３ｆに当てた後、上縁外径鍔部９ｂに開口する伝動ロック機構ハウジング取付孔１９に前記伝動ロック機構ハウジング取付ネジ１８を挿通し、その伝動ロック機構ハウジング取付ネジ１８をケーシング本体３の伝動ロック機構ハウジング固着用ネジ孔１６に螺合固着して底板２とケーシング本体３と伝動ロック機構ハウジング９を結合している。
【００２０】
前記伝動ロック機構ハウジング９は、上面の一隅に所要の間隔を存して対面起立する軸受２０ａ、２０ｂが配備され、この軸受２０ａ、２０ｂに回転連係体２１の軸部２２が回転自在に配備される。この軸部２２の一端に、基端が一体に接続する連係レバー２３が配備される。実施例では、軸部２２と一体に、周面がロック状態を表示するロック状態表示２４ａと、開放状態を表示する開放状態表示２４ｂとする表示ドラム２４が支架され、この表示ドラム２４と一体に前記連係レバー２３が形成されている。
【００２１】
前記連係レバー２３の先端の上面に凹陥受座２３ａが形成され、この凹陥受座２３ａは、前記軸部２２の回転面を中心に両側に所要の間隔で対面する側壁面２３ｂ１、２３ｂ２を持ち、先端縁に開口する導入溝２３ｂが連通形成され、凹陥受座２３ａの先端側上面に、基端側に傾斜する内側起立誘導面部２３ｃ１１、２３ｃ１２と、先端側に傾斜する外側起立誘導面部２３ｃ２１、２３ｃ２２とが形成されて備える。
【００２２】
前記軸部２２の他端は、戻しバネ巻装軸部２２ａに形成されると共に端部が出力クランクピン２６に形成され、前記ロック杆１２が連係される。前記戻しバネ巻装軸部２２ａには、戻しバネ２７が巻装され、この戻しバネ２７により常時、回転連係体２１は、全体をロック杆１２が前記ロックギヤ１１に対して開放方向に回転するよう付勢され、ロックギヤ１１とのロックを開放するように構成される。
【００２３】
押出バネ２８は、前記ケーシング本体３の前記伝動ロック機構収容空洞部３ｃの収容空洞部外周側内壁面３ｃ１とロック杆１２とに差し渡されて拡張作用をなし、常時ロック杆１２をロックギヤ１１と係合する方向に、前記戻しバネ２７の付勢力よりは弱い押圧作用なし、戻しバネ２７の作動に追従している。
【００２４】
前記伝動ロック機構ハウジング９は、上面が前記軸受２０ａ、２０ｂを除き凹陥収容部２９に形成され、前記回転連係体２１の連係レバー２３の回動空間に構成され、内底面９ｃには前記連係レバー２３の先端部と対応して開口する取付ネジ孔３０を中心に備え、伝動ロック機構ハウジング９の外下面９ｄより下方に一体に突出する伝動索取付部３１が形成され、一端に伝動索３２のアウターワイヤー３２ａの固着接続部３３ａを備えて内方に伝動索３２のインナーワイヤー３２ｂを挿通する伝動索取付金具３３の他端のネジ部３３ｂを前記伝動ロック機構ハウジング９の伝動索取付部３１の取付ネジ孔３１ａに外方から螺合した上、ロックナット３４によりロックして伝動索取付金具３３を伝動ロック機構ハウジング９に固着している。
【００２５】
前記伝動ロック機構ハウジング９の内底面９ｃには、ロックの強制解錠とインナーワイヤー３２ｂの交換のため、操作棒２５を挿通する操作用孔３５が開孔される。この操作用孔３５は水抜き孔を兼用する。
【００２６】
前記伝動索取付金具３３が伝動ロック機構ハウジング９に接続した状態において、その凹陥収容部２９に配備されるインナーワイヤー３２ｂの端止玉３２ｂ１は、前記連係レバー２３の先端の上面に凹陥受座２３ａに係合し、後輪用サークル錠操作部３６は、アウターワイヤー３２ａとインナーワイヤー３２ｂにより前記連係レバー２３に連係し、インナーワイヤー３２ｂの往復動を回転作動に変換し、回転連係体２１の他端に一体に形成される前記出力クランクピン２６を回転する。
【００２７】
前記伝動ロック機構収容空洞部３ｃの収容空洞部天井面３ｃ２と隔壁３ｅには、前記回転収容空洞部３ａと連通するガイド溝３７が形成され、前記ロック杆１２が収容ガイドされている。
【００２８】
前記伝動ロック機構収容空洞部３ｃの収容空洞部天井面３ｃ２には、表示ドラム２４と対面して表示状態を視認する窓口３８を備えた表示ドラム凹陥収容部３ｃ２１が形成されている。
【００２９】
前記伝動ロック機構収容空洞部３ｃの収容空洞部天井面３ｃ２には前記インナーワイヤー３１ｂの先端の端止玉３１ｂ１に対面して交換用凹陥収容部３ｃ２２が形成されている。
【００３０】
後輪用サークル錠操作部３６が開放位置にあるときは、インナーワイヤー３２ｂの戻し作動を行い、回転連係体２１を戻しバネ２７の作用で戻し、出力クランクピン２６によりロック杆１２を戻してロックギヤ１１から開放している。反対に後輪用サークル錠操作部３６が鎖錠位置に移動すると、インナーワイヤー３２ｂを引いて回転連係体２１を回転し、戻しバネ２７を巻締めて出力クランクピン２６を反対方向に回転し、ロック杆１２をフォークステム６側に移動し、図１に示すようにロック杆１２をロックギヤ１１に係合してロックギヤ１１をロックするものである。
【００３１】
蓋板３９は、内部の防水機能を奏し、下面を回転支持体１０に連接し、反対の上面を第１ナット４０と第２ナット４１のダブルナットで固定される。第１ナット４０と第２ナット４１の締付け位置により回転支持体１０の下面１０ｃと上玉受軸受部２ｂに収容されるボールベアリング４２との連接が円滑に回転する状態に調整される。
【００３２】
本発明の自転車用ヘッドロック装置は、前述のように構成されるから、伝動索３２のインナーワイヤー３２ｂの交換の必要が生じた場合には、図１３に示すように、始めに、ロックナット３４を緩め、伝動索取付金具３３を伝動ロック機構ハウジング９から外し、次に、操作棒２５を操作用孔３５から伝動ロック機構ハウジング９内に入れ、先端掛合部２５ａを連係レバー２３の掛合部２３ｅに掛合し、下方へ引いて連係レバー２３を回転させ、その先端を下降し内底面９ｃに近付ける。そこで、インナーワイヤー３２ｂを押し上げれば、下降している連係レバー２３の凹陥受座２３ａから端止玉３２ｂ１が外れて上方のケーシング本体３の交換用凹陥収容部３ｃ２２に収容させ、連係レバー２３の回転通路外に逃がすことができる。
【００３３】
次に、操作棒２５を上昇させると、連係レバー２３は戻しバネ２６の作用で追従回転し、先端を天井面に接する位置に戻る。ここで、インナーワイヤー３２ｂを引き下げればネジ孔３１ａを通して伝動ロック機構ハウジング９の外方にとり外すことができる。
【００３４】
次に、新しいインナーワイヤー３２ｂに交換し、外方に端止玉３２ｂ１を伝動索取付金具３３に挿通した状態でネジ孔３１ａを通して伝動ロック機構ハウジング９の内方に入れ、端止玉３２ｂ１を交換用凹陥収容部３ｃ２２の内天に達した状態で、再び連係レバー２３を操作棒２５で引き下げると、インナーワイヤー３２ｂは、ネジ孔３１の中心に保持しているから、連係レバー２３の導入溝２３ｂと一致し、その導入溝２３にインナーワイヤー３２ｂを差入れることができ、インナーワイヤー３２ｂを下方に引いて先端の端止玉３２ｂ１を凹陥受座２３ａに嵌入させることができ、その後は、伝動索取付金具３３のネジ部３３ｂをネジ孔３１ａに位置を調整して螺合し、ロックナット３４を伝動ロック機構ハウジング９の外下面に締付けて伝動索取付金具３３を固着するものである。
【００３５】
前記インナーワイヤー３２ｂの交換において、操作棒２５による連係レバー２３の回転角により内側起立誘導面部２３ｃ１１、２３ｃ１２は、当接するインナーワイヤー３２ｂを内側、すなわち、凹陥受座２３ａに、外側起立誘導面部２３ｃ２１、２３ｃ２２は、当接するインナーワイヤー３２ｂを外側、すなわち、連係レバー２３より外す方向に誘導するものである。
【００３６】
次に、本発明の自転車用ヘッドロック装置がロック状態になった場合には、操作棒２５を操作用孔３５から伝動ロック機構ハウジング９の内方に入れ、連係レバー２３の先端を下方から押し上げて連係回転体２１を回転させ、連係回転体２１の出力クランクピン２６の回転によりロック杆１２を後退させ、ロックギヤ１１の歯部１１ａから係合を解除して強制的に解錠をはかることができるものである。
【００３７】
図示はしないが、本発明のその他の実施例として、前記連係レバー２３の先端の下面には、凹陥受座が形成され、前記伝動ロック機構ハウジング９の伝動索取付部３１の取付ネジ孔３０に前記後車輪錠操作部３６に関連して往復動する伝動索３２のアウターワイヤー３２ａの固着接続部３３ａを一端に備えて内方に伝動索３２のインナーワイヤー３２ｂを挿通する伝動索取付金具３３の他端に形成されたネジ部３３ｂを外方から螺合し、インナーワイヤー３２ｂを前記伝動ロック機構ハウジング９内に挿通し、該インナーワイヤー３２ｂの端止玉３２ｂ１を連係レバー２３の先端下面の凹陥受座に関連自在に構成され、前記操作棒用孔３５に操作棒２５が外方から差し入れられて前記連係レバー２３が操作されて、装置を分解することなく、ロック杆１２の強制移動によるフォークステム６のロック解除と、連係レバー２３の凹陥受座とインナーワイヤー３２ｂの端止玉３２ｂ１との関連が外れ、インナーワイヤー３２ｂが交換自在である自転車用ヘッドロック装置としてもよいものである。
【産業上の利用可能性】
【００３８】
本発明は、自転車用ヘッドロック装置の主要部となる底板とケーシング本体と伝動ロック機構ハウジングとに分解することなく、自転車に装備した状態で伝動索取付具を外すだけでインナーワイヤーの取換えが容易に行えるものである。また、故障してロック状態になった場合には、容易に強制的に解錠することができ自転車の利用の拡大に寄与するものである。また、操作棒用孔は、水抜孔として機能し、伝動ロック機構の円滑な作動を長期に渡り保持するものである。
【図面の簡単な説明】
【００３９】
【図１】本発明の自転車用ヘッドロック装置の実施例を示す縦断面図である。
【図２】同じく、本発明の自転車用ヘッドロック装置において、フォークステム、ハンドルステム及びそれらに装着するロックギヤを含む定トルク回転支持部材等を省略し、ケーシング本体の上部を切断して底板上に配備する伝動ロック機構を示す横断面図である。
【図３】同じく、下方から見た外観底面図である。
【図４】同じく、本発明の自転車用ヘッドロック装置の底板単体の実施例を平面図である。
【図５】同じく、本発明の自転車用ヘッドロック装置のケーシング本体の単体を示す底面図である。
【図６】同じく、本発明の自転車用ヘッドロック装置の定トルク回転支持部材の分解斜視図である。
【図７】同じく、本発明の自転車用ヘッドロック装置の底板の一部を構成し、伝動ロック機構を搭載する伝動ロック機構ハウジングの単体を示す平面図である。
【図８】図５のＡ−Ａ線に沿う断面図である。
【図９】図５のＢ−Ｂ線に沿う断面図である。
【図１０】伝動ロック機構の回転連係体の平面図である。
【図１１】同じく、回転連係体の斜視図である。
【図１２】インナーワイヤー交換の仕方を説明する斜視図である。
【図１３】インナーワイヤー交換及び強制解錠の仕方を説明する一部切り欠き側面図である。
【符号の説明】
【００４０】
１  自転車用ヘッドロック装置
２  底板
２ａ  突状筒部
２ｂ  上玉受軸受部
２ｃ  平板状部
２ｃ１  外周縁
２ｃ１１  仮線で示す外周縁部分
２ｄ  係合突部
２ｅ  収容部縁
３  ケーシング本体
３ａ  回転収容空洞部
３ｂ１  下段底板嵌入凹陥座部
３ｂ２  上段内径鍔部嵌入凹陥座部
３ｃ  伝動ロック機構収容空洞部
３ｃ１  収容空洞部外周側内壁面
３ｃ２  収容空洞部天井面
３ｃ２１  表示ドラム凹陥収容部
３ｃ２２  交換用凹陥収容部
３ｄ  係合環部
３ｅ  隔壁
３ｆ  外周底面
４  ヘッドチューブ
５  定トルク回転支持部材
６  フォークステム
７  底板取付孔
８  伝動ロック機構
９  伝動ロック機構ハウジング
９ａ  上縁内径鍔部
９ｂ  上縁外径鍔部
９ｃ  内底面
９ｄ  外下面
１０  回転支持体
１０ａ  鍔部
１０ａ１  クラッチ面
１０ｂ  環状溝
１１  ロックギヤ
１１ａ  歯部
１１ｂ  クラッチ面
１２  ロック杆
１３  Ｃ押さえリング
１４  ウエーブワッシャ
１５  底板固着用ネジ孔
１６  伝動ロック機構ハウジング固着用ネジ孔
１７  底板取付ネジ
１８  伝動ロック機構ハウジング取付ネジ
１９  伝動ロック機構ハウジング取付孔
２０ａ  軸受
２０ｂ  軸受
２１  回転連係体
２２  軸部
２２ａ  戻しバネ巻装軸部
２３  連係レバー
２３ａ  凹陥受座
２３ｂ  導入溝
２３ｂ１  側壁面
２３ｂ２  側壁面
２３ｃ１１  内側起立誘導面部
２３ｃ１２  内側起立誘導面部
２３ｃ２１  外側起立誘導面部
２３ｃ２２  外側起立誘導面部
２３ｄ  中間部
２３ｅ  掛合部
２４  表示ドラム
２４ａ  ロック状態表示
２４ｂ  開放状態表示
２５  操作棒
２５ａ  先端掛合部
２６  出力クランクピン
２７  戻しバネ
２８  押出バネ
２９  凹陥収容部
３０  取付ネジ孔
３１  伝動索取付部
３１ａ  取付ネジ孔
３２  伝動索
３２ａ  アウターワイヤー
３２ｂ  インナーワイヤー
３２ｂ１  端止玉
３３  伝動索取付金具
３３ａ  固着接続部
３３ｂ  ネジ部
３４  ロックナット
３５  操作用孔
３６  後輪用サークル錠操作部
３７  ガイド溝
３８  窓口
３９  蓋板
４０  第１ナット
４１  第２ナット
４２  ボールベアリング
【図１】
0005097010.tif 000002
【図２】
0005097010.tif 000003
【図３】
0005097010.tif 000004
【図４】
0005097010.tif 000005
【図５】
0005097010.tif 000006
【図６】
0005097010.tif 000007
【図７】
0005097010.tif 000008
【図８】
0005097010.tif 000009
【図９】
0005097010.tif 000010
【図１０】
0005097010.tif 000011
【図１１】
0005097010.tif 000012
【図１２】
0005097010.tif 000013
【図１３】
0005097010.tif 000014